(57)【要約】【課題】Ｏ脚傾向にある人とＸ脚傾向にある人とのいずれの場合にも共用でき、しかも、歩行時における姿勢をバランスよく修正できる靴下の提供。【解決手段】略袋状となって人体の爪先側から足の甲と足裏と踵とを経てくるぶし側へと至る一対の靴下本体部１２，２２を少なくとも含んで左右の別なく着用可能に編成される靴下１１において、一方の靴下本体部１２には、その着用時に足裏と対面する足底部１３の長さ方向にて等分割されるいずれか一方の領域に、他方の靴下本体部２２には、足底部２３の他方の領域に、厚底層１５，２５をそれぞれ形成することにより、Ｏ脚傾向にある人とＸ脚傾向にある人とのいずれにも共用できるようにした。【選択図】図１
2006169651.tif 000002
【特許請求の範囲】
【請求項１】
略袋状となって人体の爪先側から足の甲と足裏と踵とを経てくるぶし側へと至る一対の靴下本体部を少なくとも含んで左右の別なく着用可能に編成される靴下において、
一方の前記靴下本体部には、その着用時に前記足裏と対面する足底部の長さ方向にて左右に等分割されるいずれか一方の領域に、他方の靴下本体部には、前記足底部の他方の領域に、それぞれ厚底層を形成したことを特徴とする靴下。
【請求項２】
前記厚底層は、モーレー編みまたは複数の給糸孔から給糸される複数口編みにより形成した請求項１に記載の靴下。
【請求項３】
前記厚底層は、少なくとも歩行時における前記足裏の接地部位との対応領域に配設した請求項１または２に記載の靴下。
【請求項４】
前記厚底層は、前記対応領域に島状または散点状となった小区画部の集合として配設した請求項３に記載の靴下。
【発明の詳細な説明】
【技術分野】
【０００１】
本発明は、膝の開きがＯ脚傾向やＸ脚傾向にある人であってもバランスがとれた姿勢のもとで快適に歩行できるように着用される靴下に関する技術である。
【背景技術】
【０００２】
近年、高齢化の傾向が一段と進んでいることなどもあって、加齢等に伴う膝軟骨の摩耗により膝関節の破壊が痛みを伴いながら進行し、膝がＯ脚傾向に開いたり、Ｘ脚傾向に閉じたりする人も多く見受けられるようになってきている。
【０００３】
このように膝の開きがＯ脚傾向やＸ脚傾向にある人は、姿勢がアンバランスになって快適に歩行することが困難になることもあって、従来より足底板を用いるなどして歩行時における姿勢を少しでもバランスよくしようとすることも行われてきている。
【０００４】
しかし、上記足底板については、従来より種々の構造のものが提案がなされてきているものの、そのいずれもが靴の中に装着して使用するものであることから、歩行する際に違和感を感じて歩きづらいという不具合があった。
【０００５】
また、このような違和感を少しでも緩和するものとしては、靴下の内面に編成によりパイル部分を形成して、他の部分よりもその厚さを厚くした部分を設けたものも、下記特許文献１に示すように既に提案されている。
【特許文献１】特開２００２−２２４２２７号公報
【発明の開示】
【発明が解決しようとする課題】
【０００６】
しかし、特許文献１に開示されている靴下は、Ｏ脚傾向にある人が着用するものと、Ｘ脚傾向にある人が着用するものとを別に製造する必要があり、それだけコスト高を招いてしまう不都合があった。
【０００７】
本発明は、従来技術にみられた上記課題に鑑み、違和感を感じることなく心地よく着用することができるばかりでなく、Ｏ脚傾向にある人とＸ脚傾向にある人とのいずれにも共用できるようにすることで製品のコスト減に有効に寄与させることができる靴下を提供することに目的がある。
【課題を解決するための手段】
【０００８】
本発明は、上記目的を達成すべくなされものであり、略袋状となって人体の爪先側から足の甲と足裏と踵とを経てくるぶし側へと至る一対の靴下本体部を少なくとも含んで左右の別なく着用可能に編成される靴下において、一方の前記靴下本体部には、その着用時に前記足裏と対面する足底部の長さ方向にて等分割されるいずれか一方の領域に、他方の靴下本体部には、前記足底部の他方の領域に、それぞれ厚底層を形成したことを最も主要な特徴とする。
【０００９】
また、前記厚底層は、モーレー編みまたは複数の給糸孔から給糸される複数口編みにより形成するのが好ましい。さらに、前記厚底層は、少なくとも歩行時における前記足裏の接地部位との対応領域に配設するのが望ましい。この場合、前記厚底層は、前記対応領域に島状または散点状となった小区画部の集合として配設するものであってもよい。
【発明の効果】
【００１０】
本発明のうち、請求項１に係る発明によれば、一方の靴下本体部の足底部の一方の側には厚底層が、他方の靴下本体の足底部の他方の側には厚底層がそれぞれ配設されているので、厚底層双方を外側に位置させることでＯ脚傾向にある人への着用が可能となり、厚底層双方を内側に位置させることでＸ脚傾向にある人への着用が可能となる。したがって、Ｏ脚傾向にある人とＸ脚傾向にある人とのいずれにも共用できることから、製品のコスト減に有効に寄与させることができる。
【００１１】
また、請求項２に係る発明によれば、前記厚底層は、モーレー編みまたは複数の給糸孔から給糸される複数口編みにより形成されているので、所望する適宜の着用部位に必要な厚さを付与しておくことで、一人一人の足サイズ等に柔軟に対応させることができる。
【００１２】
さらに、請求項３に係る発明によれば、少なくとも歩行時における前記足裏の接地部位との対応領域に厚底層を形成してあるので、足底部に占める厚底層の面積をできるだけ小さくすることで製品のコスト減の実現により有効に寄与させることができる。しかも、この場合、請求項４に係る発明のように、厚底層を島状または散点状となった小分割部の集合として配設してある場合には、指圧効果を伴ったより好ましい着用感を得ることもできる。
【発明を実施するための最良の形態】
【００１３】
図１は、本発明の一例についての配置状態（Ｏ脚傾向にある人に対応）を足底部上方からみた平面視状態のもとで模式的に示す説明図であり、そのうちの（ａ）は、対となっている靴下本体部における一方の側である左足側の足底部を、（ｂ）は、他方の側である右足側の足底部をそれぞれ示す。図２は、図１において矢視方向で模式的に示される断面図であり、そのうちの（ａ）は、図１（ａ）のＡ−Ａ線矢視方向での断面図を、（ｂ）は、図１（ｂ）のＢ−Ｂ線矢視方向での断面図をそれぞれ示す。図３は、図１（ｂ）に示す靴下本体部を含む全体形状例を、図１（ｂ）の足底部に示されている破線を境界として山折りに折り畳んだ状態で示す説明図である。
【００１４】
これらの図によれば、靴下１１は、略袋状となって人体の爪先側から足の甲と足裏と踵とを経てくるぶし側へと至る一対の靴下本体部１２，２２を少なくとも有して形成されている。
【００１５】
しかも、一対の靴下本体部１２，２２の足底部１３，２３は、対面合致する同一の平面形状を呈して形成されて左右の別なく着用可能に編成されていることから、そのうちのいずれか一方を左足に履き、残りの他方を右足に履いて着用したり、その逆に着用したりしても、特に違和感のない着用感を得ることができるようになっている。
【００１６】
このような構造を備える一対の靴下本体部１２，２２のうち、例えば図１（ａ）の靴下本体部１２には、その着用時に左足の足裏と対面する足底部１３の長さ方向（図示例では上下方向）にて、破線を境界として等分割される一方の領域（図示例では左側領域）に厚底層１５が図２（ａ）に示されるようにして形成されている。
【００１７】
この場合における厚底層１５は、モーレー編みにより編み地本体１４に重ね編みしたり、対応部位を複数の給糸孔から給糸される複数口編みすることで、図２（ａ）に示されるようにして形成されている。
【００１８】
しかも、該厚底層１５は、図１（ａ）に示すように爪先寄りの接地部位との対応領域に形成される一側厚底部１５ａと、踵寄りの接地部位との対応領域に形成される他側厚底部１５ｂとで構成されている。この場合、他側厚底部１５ｂは、その一部に一口編み部２９を残して例えば３口編みなどの複数口編みをすることで形成することができる。
【００１９】
また、他方の靴下本体部２２には、その着用時に右足の足裏と対面する足底部２３の長さ方向（図示例では上下方向）にて、破線を境界として等分割される他方の領域（図示例では右側領域）に図１（ａ）に示す厚底層１５と同様な厚底層２５が図２（ｂ）に示されるようにして形成されている。
【００２０】
この場合の厚底層２５は、図１（ａ）の厚底層１５と同様に、図１（ｂ）に示すように爪先寄りの接地部位との対応領域に形成される一側厚底部２５ａと、踵寄りの接地部位との対応領域に形成される他側厚底部２５ｂとで構成されている。
【００２１】
なお、図３に示す例においては、靴下本体部２２に連続させて膝下までを覆う脚部２７と口ゴム２８とを備えて形成されている。また、図３に示す折り畳み例においては、足底部２３を山折りに折り畳むことで一側厚底部２５ａと他側厚底部２５ｂとからなる厚底層２５が左側面側に表出することになる。
【００２２】
また、一対の靴下本体部１２，２２における本体編み地１４，１５側は、その着用部位に応じた所要着圧の生成が自在な弾性を付与してなる弾性靴下として形成するものであってもよい。
【００２３】
さらに、厚底層１５，２５は、図４に示すように爪先寄りの接地部位との対応領域から踵寄りの接地部位との対応領域に至る足底部１３に連続面として形成することもできる。
【００２４】
また、厚底層１５，２５が図１に示すように一側厚底部１５ａ，２５ａと他側厚底部１５ｂ，２５ｂとで構成されている場合には、それらを図５に示すように島状または散点状となった小区画部１６，２６の集合として形成することで、指圧効果を伴った特異な着用感を得ることができる。
【００２５】
次に、上記構成からなる本発明の用法を、図１に示す例について説明すれば、Ｏ脚傾向にある人は、左足の足裏を図１（ａ）の足底部１３上に、右足の足裏を図１（ｂ）の足底部２３上に載置させた状態のもとで靴下本体部１２，２２を履くことによりこれを着用する。
【００２６】
このとき、左足の足裏の外側に位置する左半分の側は、足底部１３の厚底層１５を構成している一側厚底部１５ａ上と他側厚底部１５ｂ上とで下支えされ、右足の足裏の外側に位置する右半分の側は、足底部２３の厚底層２５を構成している一側厚底部２５ａ上と他側厚底部２５ｂ上とで下支えされる。
【００２７】
このため、Ｏ脚傾向にある人は、靴下１１を履くことで両膝が近寄る方向へとその向きが修正され、この状態を保持したまま着用して日常生活を送ることができる。
【００２８】
一方、Ｘ脚傾向にある人は、左足の足裏を図１（ｂ）の足底部２３上に、右足の足裏を図１（ａ）の足底部１３上に載置させた状態のもとで靴下本体部１２，２２を履くことによりこれを着用する。
【００２９】
このとき、左足の足裏の内側に位置する右半分の側は、足底部２３の厚底層２５を構成している一側厚底部２５ａ上と他側厚底部２５ｂ上とで下支えされ、右足の足裏の内側に位置する左半分の側は、足底部１３の厚底層１５を構成している一側厚底部１５ａ上と他側厚底部１５ｂ上とで下支えされる。
【００３０】
このため、Ｘ脚傾向にある人は、靴下１１を履くことで両膝が遠ざかる方向へとその向きが修正され、この状態を保持したまま着用して日常生活を送ることができる。
【００３１】
しかも、靴下本体部１２，２２の編み地本体１４，２４は、その足底部１３，２３に形成される厚底層１５，２５とともに伸縮性を確保しながら、違和感なく長期にわたり着用することができる耐久性を付与することができる。
【００３２】
以上は、本発明を図示例に基づいて説明したものであり、その具体的な内容はこれに限定されるものではない。例えば、本発明が適用される靴下１１は、少なくとも靴下本体部１２，２２を備えているものでさえあれば、図３に示すソックスのほか、アンクルソックス、ニーソックス、オーバーニーソックス、ストッキング（パンティストッキング，タイツを含む）のいずれであってもよい。また、足底部側は、足袋のように足の親指とその他の指とを別々に納める爪先構造としたり、５本の指を別々に納める爪先構造とすることができる。
【００３３】
厚底層は、図２に示されているようにその全体が同じ厚さとなるように形成することができるほか、必要により内側（図１における破線方向）に向かってその厚さがやや薄くなるようにして形成するものであってもよい。また、厚底層自体の厚さも、所望に応じ適宜選択することができる。さらに、厚底層に対し遠赤外線効果や磁気効果を発揮させ得る構造を付与しておくこともできる。
【図面の簡単な説明】
【００３４】
【図１】本発明の一例についての配置状態（Ｏ脚傾向にある人に対応）を足底部上方からみた平面視状態のもとで模式的に示す説明図であり、そのうちの（ａ）は、対となっている靴下本体部における一方の側である左足側の足底部を、（ｂ）は、他方の側である右足側の足底部をそれぞれ示す。
【図２】図１において矢視方向で示される断面構造を示す模式図であり、そのうちの（ａ）は、図１（ａ）のＡ−Ａ線矢視方向での断面構造を、（ｂ）は、図１（ｂ）のＢ−Ｂ線矢視方向での断面構造をそれぞれ示す。
【図３】図１（ｂ）に示す靴下本体部を含む全体形状例を、図１（ｂ）の足底部に示されている破線を境界として山折りに折り畳んだ状態で示す説明図。
【図４】本発明の他例を図１との対応関係のもとで（ａ），（ｂ）として示す説明図。
【図５】図１の変形例を（ａ），（ｂ）として示す説明図。
【符号の説明】
【００３５】
１１  靴下
１２，２２  靴下本体部
１３，２３  足底部
１４，２４  編み地本体
１５，２５  厚底層
１５ａ，２５ａ  一側厚底部
１５ｂ，２５ｂ  他側厚底部
１６，２６  区画部
２７  脚部
２８  口ゴム
２９  一口編み部
【図１】
2006169651.tif 000003
【図２】
2006169651.tif 000004
【図３】
2006169651.tif 000005
【図４】
2006169651.tif 000006
【図５】
2006169651.tif 000007